(57)【要約】      （修正有）【課題】基板の取り付け工数を削減しつつ周方向の照度ムラを抑制する。【解決手段】正五角柱状の支持部3の長方形の側面上に、それらの法線と光軸1a',1b',1c',1d',1e'とが一致するようにＬＥＤ光源1a,1b,1c,1d,1eが実装された基板2a,2b,2c,2d,2eを配置し、口金4を設けたＬＥＤランプ10においてＬＥＤ光源1a,1b,1c,1d,1eとしてランバーシアン発光特性を有するＬＥＤ光源を用い、基板2a,2b,2c,2d,2eに実装されたＬＥＤ光源1a,1b,1c,1d,1eの数をそれぞれ等しくし、ＬＥＤ光源1a,1b,1c,1d,1eからの光によって正五角柱状の支持部3の中心軸線3'に直交するとともに正五角柱状の支持部3から正五角柱状の支持部3の中心軸線3'方向に離間せしめられた平面S上に、中心軸線3'を中心とする３６°回転対称の照度分布を有する配光パターンが形成される。【選択図】図１
2012094443.tif 000002
【特許請求の範囲】
【請求項１】
正五角形の先端面（３ｚ）と、長方形の第１側面（３ａ）と、長方形の第２側面（３ｂ）と、長方形の第３側面（３ｃ）と、長方形の第４側面（３ｄ）と、長方形の第５側面（３ｅ）とを有する正五角柱状の支持部（３）を具備し、
第１側面（３ａ）の法線（３ａ’）と第１ＬＥＤ光源（１ａ）の光軸（１ａ’）とが一致するように、第１ＬＥＤ光源（１ａ）が実装された第１基板（２ａ）を第１側面（３ａ）上に配置し、
第２側面（３ｂ）の法線（３ｂ’）と第２ＬＥＤ光源（１ｂ）の光軸（１ｂ’）とが一致するように、第２ＬＥＤ光源（１ｂ）が実装された第２基板（２ｂ）を第２側面（３ｂ）上に配置し、
第３側面（３ｃ）の法線（３ｃ’）と第３ＬＥＤ光源（１ｃ）の光軸（１ｃ’）とが一致するように、第３ＬＥＤ光源（１ｃ）が実装された第３基板（２ｃ）を第３側面（３ｃ）上に配置し、
第４側面（３ｄ）の法線（３ｄ’）と第４ＬＥＤ光源（１ｄ）の光軸（１ｄ’）とが一致するように、第４ＬＥＤ光源（１ｄ）が実装された第４基板（２ｄ）を第４側面（３ｄ）上に配置し、
第５側面（３ｅ）の法線（３ｅ’）と第５ＬＥＤ光源（１ｅ）の光軸（１ｅ’）とが一致するように、第５ＬＥＤ光源（１ｅ）が実装された第５基板（２ｅ）を第５側面（３ｅ）上に配置し、
第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）に電流を供給するための口金（４）を具備し、
第１ＬＥＤ光源（１ａ）として、第１ＬＥＤ光源（１ａ）の光軸（１ａ’）と角度θａ（０°≦θａ≦９０°）をなして第１ＬＥＤ光源（１ａ）から照射される光の光度（Ａａ）が、第１ＬＥＤ光源（１ａ）の光軸（１ａ’）上に第１ＬＥＤ光源（１ａ）から照射される光の光度（Ａａ０）のｃｏｓθａ倍になるように設定されたＬＥＤ光源を用い、
第２ＬＥＤ光源（１ｂ）として、第２ＬＥＤ光源（１ｂ）の光軸（１ｂ’）と角度θｂ（０°≦θｂ≦９０°）をなして第２ＬＥＤ光源（１ｂ）から照射される光の光度（Ａｂ）が、第２ＬＥＤ光源（１ｂ）の光軸（１ｂ’）上に第２ＬＥＤ光源（１ｂ）から照射される光の光度（Ａｂ０）のｃｏｓθｂ倍になるように、かつ、第２ＬＥＤ光源（１ｂ）の光軸（１ｂ’）上に第２ＬＥＤ光源（１ｂ）から照射される光の光度（Ａｂ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第３ＬＥＤ光源（１ｃ）として、第３ＬＥＤ光源（１ｃ）の光軸（１ｃ’）と角度θｃ（０°≦θｃ≦９０°）をなして第３ＬＥＤ光源（１ｃ）から照射される光の光度（Ａｃ）が、第３ＬＥＤ光源（１ｃ）の光軸（１ｃ’）上に第３ＬＥＤ光源（１ｃ）から照射される光の光度（Ａｃ０）のｃｏｓθｃ倍になるように、かつ、第３ＬＥＤ光源（１ｃ）の光軸（１ｃ’）上に第３ＬＥＤ光源（１ｃ）から照射される光の光度（Ａｃ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第４ＬＥＤ光源（１ｄ）として、第４ＬＥＤ光源（１ｄ）の光軸（１ｄ’）と角度θｄ（０°≦θｄ≦９０°）をなして第４ＬＥＤ光源（１ｄ）から照射される光の光度（Ａｄ）が、第４ＬＥＤ光源（１ｄ）の光軸（１ｄ’）上に第４ＬＥＤ光源（１ｄ）から照射される光の光度（Ａｄ０）のｃｏｓθｄ倍になるように、かつ、第４ＬＥＤ光源（１ｄ）の光軸（１ｄ’）上に第４ＬＥＤ光源（１ｄ）から照射される光の光度（Ａｄ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第５ＬＥＤ光源（１ｅ）として、第５ＬＥＤ光源（１ｅ）の光軸（１ｅ’）と角度θｅ（０°≦θｅ≦９０°）をなして第５ＬＥＤ光源（１ｅ）から照射される光の光度（Ａｅ）が、第５ＬＥＤ光源（１ｅ）の光軸（１ｅ’）上に第５ＬＥＤ光源（１ｅ）から照射される光の光度（Ａｅ０）のｃｏｓθｅ倍になるように、かつ、第５ＬＥＤ光源（１ｅ）の光軸（１ｅ’）上に第５ＬＥＤ光源（１ｅ）から照射される光の光度（Ａｅ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第１基板（２ａ）に実装された第１ＬＥＤ光源（１ａ）の数と、第２基板（２ｂ）に実装された第２ＬＥＤ光源（１ｂ）の数と、第３基板（２ｃ）に実装された第３ＬＥＤ光源（１ｃ）の数と、第４基板（２ｄ）に実装された第４ＬＥＤ光源（１ｄ）の数と、第５基板（２ｅ）に実装された第５ＬＥＤ光源（１ｅ）の数とを等しくし、
第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）からの光によって、正五角柱状の支持部（３）の中心軸線（３’）に直交する平面（Ｓ）であって、正五角柱状の支持部（３）から正五角柱状の支持部（３）の中心軸線（３’）方向に離間せしめられた平面（Ｓ）上に、正五角柱状の支持部（３）の中心軸線（３’）を中心とする３６°回転対称の照度分布を有する配光パターンが形成されることを特徴とするＬＥＤランプ（１０）。
【請求項２】
正五角柱状の支持部（３）の中心軸線（３’）を中心とする７２°回転対称の位置関係を互いに有するように、第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）を配置したことを特徴とする請求項１に記載のＬＥＤランプ（１０）。
【発明の詳細な説明】
【技術分野】
【０００１】
本発明は、５個の長方形の側面を有する正五角柱状の支持部を具備し、ＬＥＤ光源が実装された５枚の基板を５個の長方形の側面上に配置し、ＬＥＤ光源に電流を供給するための口金を具備するＬＥＤランプに関する。
【０００２】
特に、本発明は、例えば口金を有する水銀灯、例えばフィラメントなどのような発光部と口金とを有する電球などに対して互換性を有し、かつ、正多角柱状の支持部に対する複数の基板の取り付け工数を削減しつつ、正多角柱状の支持部の中心軸線を中心とする周方向の照度ムラを抑制した配光パターンを、正多角柱状の支持部から正多角柱状の支持部の中心軸線方向に離間せしめられた面に形成することができるＬＥＤランプに関する。
【背景技術】
【０００３】
従来から、例えば口金を有する水銀灯に対して互換性を有するＬＥＤランプが知られている。この種のＬＥＤランプの例としては、例えば特許文献１（特開２０１０−１８２７９６号公報）に記載されたものがある。特許文献１に記載されたＬＥＤランプでは、６個の長方形の側面を有する正六角柱状の支持部（基板支持部材）が設けられている。更に、ＬＥＤ光源（ＬＥＤモジュール）が実装された６枚の基板（板状基板）が正六角柱状の支持部（基板支持部材）の６個の長方形の側面上に配置されている。また、ＬＥＤ光源（ＬＥＤモジュール）に電流を供給するための口金が設けられている。
【先行技術文献】
【特許文献】
【０００４】
【特許文献１】特開２０１０−１８２７９６号公報
【特許文献２】特開２００７−２６５７２６号公報
【発明の概要】
【発明が解決しようとする課題】
【０００５】
特許文献１に記載されたＬＥＤランプでは、ＬＥＤ光源（ＬＥＤモジュール）が実装された６枚の基板（板状基板）が正六角柱状の支持部（基板支持部材）の６個の長方形の側面に取り付けられているが、支持部に対する複数の基板の取り付け工数を削減するためには、６個の長方形の側面を有する正六角柱状の支持部の代わりに、６個未満の長方形の側面を有する正多角柱状の支持部を用いる方が好ましいと考えられる。
【０００６】
一方、６個未満の長方形の側面を有する正多角柱状の支持部を用いると、６個の長方形の側面を有する正六角柱状の支持部が用いられる場合に比べ、ＬＥＤ光源から照射される光によって形成される配光パターンの周方向の照度ムラが低下してしまうおそれがあると一般的に考えられている。
【０００７】
これらの点に鑑み、本発明者等は、正多角柱状の支持部の長方形の側面の数と、ＬＥＤ光源から照射される光によって形成される配光パターンの周方向の照度ムラとの関係などについて鋭意研究を行った。その結果、本発明者等は、６個未満の長方形の側面を有する正多角柱状の支持部を用いると、６個の長方形の側面を有する正六角柱状の支持部が用いられる場合に比べ、ＬＥＤ光源から照射される光によって形成される配光パターンの周方向の照度ムラが低下するとは限らないことを見い出したのである。詳細には、本発明者等は、ＬＥＤ光源の発光特性および正多角柱状の支持部の長方形の側面の数によっては、６個未満の長方形の側面を有する正多角柱状の支持部を用いると、６個の長方形の側面を有する正六角柱状の支持部が用いられる場合に比べ、ＬＥＤ光源から照射される光によって形成される配光パターンの周方向の照度ムラが向上することを見い出したのである。
【０００８】
すなわち、本発明は、例えば口金を有する水銀灯、例えばフィラメントなどのような発光部と口金とを有する電球などに対して互換性を有し、かつ、正多角柱状の支持部に対する複数の基板の取り付け工数を削減しつつ、正多角柱状の支持部の中心軸線を中心とする周方向の照度ムラを抑制した配光パターンを、正多角柱状の支持部から正多角柱状の支持部の中心軸線方向に離間せしめられた面に形成することができるＬＥＤランプを提供することを目的とする。
【課題を解決するための手段】
【０００９】
請求項１に記載の発明によれば、正五角形の先端面（３ｚ）と、長方形の第１側面（３ａ）と、長方形の第２側面（３ｂ）と、長方形の第３側面（３ｃ）と、長方形の第４側面（３ｄ）と、長方形の第５側面（３ｅ）とを有する正五角柱状の支持部（３）を具備し、
第１側面（３ａ）の法線（３ａ’）と第１ＬＥＤ光源（１ａ）の光軸（１ａ’）とが一致するように、第１ＬＥＤ光源（１ａ）が実装された第１基板（２ａ）を第１側面（３ａ）上に配置し、
第２側面（３ｂ）の法線（３ｂ’）と第２ＬＥＤ光源（１ｂ）の光軸（１ｂ’）とが一致するように、第２ＬＥＤ光源（１ｂ）が実装された第２基板（２ｂ）を第２側面（３ｂ）上に配置し、
第３側面（３ｃ）の法線（３ｃ’）と第３ＬＥＤ光源（１ｃ）の光軸（１ｃ’）とが一致するように、第３ＬＥＤ光源（１ｃ）が実装された第３基板（２ｃ）を第３側面（３ｃ）上に配置し、
第４側面（３ｄ）の法線（３ｄ’）と第４ＬＥＤ光源（１ｄ）の光軸（１ｄ’）とが一致するように、第４ＬＥＤ光源（１ｄ）が実装された第４基板（２ｄ）を第４側面（３ｄ）上に配置し、
第５側面（３ｅ）の法線（３ｅ’）と第５ＬＥＤ光源（１ｅ）の光軸（１ｅ’）とが一致するように、第５ＬＥＤ光源（１ｅ）が実装された第５基板（２ｅ）を第５側面（３ｅ）上に配置し、
第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）に電流を供給するための口金（４）を具備し、
第１ＬＥＤ光源（１ａ）として、第１ＬＥＤ光源（１ａ）の光軸（１ａ’）と角度θａ（０°≦θａ≦９０°）をなして第１ＬＥＤ光源（１ａ）から照射される光の光度（Ａａ）が、第１ＬＥＤ光源（１ａ）の光軸（１ａ’）上に第１ＬＥＤ光源（１ａ）から照射される光の光度（Ａａ０）のｃｏｓθａ倍になるように設定されたＬＥＤ光源を用い、
第２ＬＥＤ光源（１ｂ）として、第２ＬＥＤ光源（１ｂ）の光軸（１ｂ’）と角度θｂ（０°≦θｂ≦９０°）をなして第２ＬＥＤ光源（１ｂ）から照射される光の光度（Ａｂ）が、第２ＬＥＤ光源（１ｂ）の光軸（１ｂ’）上に第２ＬＥＤ光源（１ｂ）から照射される光の光度（Ａｂ０）のｃｏｓθｂ倍になるように、かつ、第２ＬＥＤ光源（１ｂ）の光軸（１ｂ’）上に第２ＬＥＤ光源（１ｂ）から照射される光の光度（Ａｂ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第３ＬＥＤ光源（１ｃ）として、第３ＬＥＤ光源（１ｃ）の光軸（１ｃ’）と角度θｃ（０°≦θｃ≦９０°）をなして第３ＬＥＤ光源（１ｃ）から照射される光の光度（Ａｃ）が、第３ＬＥＤ光源（１ｃ）の光軸（１ｃ’）上に第３ＬＥＤ光源（１ｃ）から照射される光の光度（Ａｃ０）のｃｏｓθｃ倍になるように、かつ、第３ＬＥＤ光源（１ｃ）の光軸（１ｃ’）上に第３ＬＥＤ光源（１ｃ）から照射される光の光度（Ａｃ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第４ＬＥＤ光源（１ｄ）として、第４ＬＥＤ光源（１ｄ）の光軸（１ｄ’）と角度θｄ（０°≦θｄ≦９０°）をなして第４ＬＥＤ光源（１ｄ）から照射される光の光度（Ａｄ）が、第４ＬＥＤ光源（１ｄ）の光軸（１ｄ’）上に第４ＬＥＤ光源（１ｄ）から照射される光の光度（Ａｄ０）のｃｏｓθｄ倍になるように、かつ、第４ＬＥＤ光源（１ｄ）の光軸（１ｄ’）上に第４ＬＥＤ光源（１ｄ）から照射される光の光度（Ａｄ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第５ＬＥＤ光源（１ｅ）として、第５ＬＥＤ光源（１ｅ）の光軸（１ｅ’）と角度θｅ（０°≦θｅ≦９０°）をなして第５ＬＥＤ光源（１ｅ）から照射される光の光度（Ａｅ）が、第５ＬＥＤ光源（１ｅ）の光軸（１ｅ’）上に第５ＬＥＤ光源（１ｅ）から照射される光の光度（Ａｅ０）のｃｏｓθｅ倍になるように、かつ、第５ＬＥＤ光源（１ｅ）の光軸（１ｅ’）上に第５ＬＥＤ光源（１ｅ）から照射される光の光度（Ａｅ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源を用い、
第１基板（２ａ）に実装された第１ＬＥＤ光源（１ａ）の数と、第２基板（２ｂ）に実装された第２ＬＥＤ光源（１ｂ）の数と、第３基板（２ｃ）に実装された第３ＬＥＤ光源（１ｃ）の数と、第４基板（２ｄ）に実装された第４ＬＥＤ光源（１ｄ）の数と、第５基板（２ｅ）に実装された第５ＬＥＤ光源（１ｅ）の数とを等しくし、
第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）からの光によって、正五角柱状の支持部（３）の中心軸線（３’）に直交する平面（Ｓ）であって、正五角柱状の支持部（３）から正五角柱状の支持部（３）の中心軸線（３’）方向に離間せしめられた平面（Ｓ）上に、正五角柱状の支持部（３）の中心軸線（３’）を中心とする３６°回転対称の照度分布を有する配光パターンが形成されることを特徴とするＬＥＤランプ（１０）が提供される。
【００１０】
請求項２に記載の発明によれば、正五角柱状の支持部（３）の中心軸線（３’）を中心とする７２°回転対称の位置関係を互いに有するように、第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）を配置したことを特徴とする請求項１に記載のＬＥＤランプ（１０）が提供される。
【発明の効果】
【００１１】
請求項１及び２に記載のＬＥＤランプ（１０）は、例えば口金を有する水銀灯、例えばフィラメントなどのような発光部と口金とを有する電球などに対して互換性を有するように、かつ、組立工数を可能な限り削減することができるように、かつ、周方向の照度ムラを抑制した配光パターンを形成することができるように構成されている。
【００１２】
具体的には、請求項１及び２に記載のＬＥＤランプ（１０）では、正五角形の先端面（３ｚ）と、長方形の第１側面（３ａ）と、長方形の第２側面（３ｂ）と、長方形の第３側面（３ｃ）と、長方形の第４側面（３ｄ）と、長方形の第５側面（３ｅ）とを有する正五角柱状の支持部（３）が設けられている。更に、第１側面（３ａ）の法線（３ａ’）と第１ＬＥＤ光源（１ａ）の光軸（１ａ’）とが一致するように、第１ＬＥＤ光源（１ａ）が実装された第１基板（２ａ）が、第１側面（３ａ）上に配置されている。また、第２側面（３ｂ）の法線（３ｂ’）と第２ＬＥＤ光源（１ｂ）の光軸（１ｂ’）とが一致するように、第２ＬＥＤ光源（１ｂ）が実装された第２基板（２ｂ）が、第２側面（３ｂ）上に配置されている。
【００１３】
更に、請求項１及び２に記載のＬＥＤランプ（１０）では、第３側面（３ｃ）の法線（３ｃ’）と第３ＬＥＤ光源（１ｃ）の光軸（１ｃ’）とが一致するように、第３ＬＥＤ光源（１ｃ）が実装された第３基板（２ｃ）が、第３側面（３ｃ）上に配置されている。また、第４側面（３ｄ）の法線（３ｄ’）と第４ＬＥＤ光源（１ｄ）の光軸（１ｄ’）とが一致するように、第４ＬＥＤ光源（１ｄ）が実装された第４基板（２ｄ）が、第４側面（３ｄ）上に配置されている。更に、第５側面（３ｅ）の法線（３ｅ’）と第５ＬＥＤ光源（１ｅ）の光軸（１ｅ’）とが一致するように、第５ＬＥＤ光源（１ｅ）が実装された第５基板（２ｅ）が、第５側面（３ｅ）上に配置されている。
【００１４】
そのため、請求項１及び２に記載のＬＥＤランプ（１０）によれば、正多角柱状の支持部に対して６枚以上の基板が取り付けられる場合よりも、組立工数を削減することができる。
【００１５】
また、請求項１及び２に記載のＬＥＤランプ（１０）では、第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）に電流を供給するための口金（４）が設けられている。
【００１６】
そのため、請求項１及び２に記載のＬＥＤランプ（１０）によれば、例えば口金を有する水銀灯、例えばフィラメントなどのような発光部と口金とを有する電球などに対して互換性を有することができる。
【００１７】
更に、請求項１及び２に記載のＬＥＤランプ（１０）では、第１ＬＥＤ光源（１ａ）として、第１ＬＥＤ光源（１ａ）の光軸（１ａ’）と角度θａ（０°≦θａ≦９０°）をなして第１ＬＥＤ光源（１ａ）から照射される光の光度（Ａａ）が、第１ＬＥＤ光源（１ａ）の光軸（１ａ’）上に第１ＬＥＤ光源（１ａ）から照射される光の光度（Ａａ０）のｃｏｓθａ倍になるように設定されたＬＥＤ光源が用いられている。
【００１８】
また、請求項１及び２に記載のＬＥＤランプ（１０）では、第２ＬＥＤ光源（１ｂ）として、第２ＬＥＤ光源（１ｂ）の光軸（１ｂ’）と角度θｂ（０°≦θｂ≦９０°）をなして第２ＬＥＤ光源（１ｂ）から照射される光の光度（Ａｂ）が、第２ＬＥＤ光源（１ｂ）の光軸（１ｂ’）上に第２ＬＥＤ光源（１ｂ）から照射される光の光度（Ａｂ０）のｃｏｓθｂ倍になるように、かつ、第２ＬＥＤ光源（１ｂ）の光軸（１ｂ’）上に第２ＬＥＤ光源（１ｂ）から照射される光の光度（Ａｂ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源が用いられている。
【００１９】
更に、請求項１及び２に記載のＬＥＤランプ（１０）では、第３ＬＥＤ光源（１ｃ）として、第３ＬＥＤ光源（１ｃ）の光軸（１ｃ’）と角度θｃ（０°≦θｃ≦９０°）をなして第３ＬＥＤ光源（１ｃ）から照射される光の光度（Ａｃ）が、第３ＬＥＤ光源（１ｃ）の光軸（１ｃ’）上に第３ＬＥＤ光源（１ｃ）から照射される光の光度（Ａｃ０）のｃｏｓθｃ倍になるように、かつ、第３ＬＥＤ光源（１ｃ）の光軸（１ｃ’）上に第３ＬＥＤ光源（１ｃ）から照射される光の光度（Ａｃ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源が用いられている。
【００２０】
また、請求項１及び２に記載のＬＥＤランプ（１０）では、第４ＬＥＤ光源（１ｄ）として、第４ＬＥＤ光源（１ｄ）の光軸（１ｄ’）と角度θｄ（０°≦θｄ≦９０°）をなして第４ＬＥＤ光源（１ｄ）から照射される光の光度（Ａｄ）が、第４ＬＥＤ光源（１ｄ）の光軸（１ｄ’）上に第４ＬＥＤ光源（１ｄ）から照射される光の光度（Ａｄ０）のｃｏｓθｄ倍になるように、かつ、第４ＬＥＤ光源（１ｄ）の光軸（１ｄ’）上に第４ＬＥＤ光源（１ｄ）から照射される光の光度（Ａｄ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源が用いられている。
【００２１】
更に、請求項１及び２に記載のＬＥＤランプ（１０）では、第５ＬＥＤ光源（１ｅ）として、第５ＬＥＤ光源（１ｅ）の光軸（１ｅ’）と角度θｅ（０°≦θｅ≦９０°）をなして第５ＬＥＤ光源（１ｅ）から照射される光の光度（Ａｅ）が、第５ＬＥＤ光源（１ｅ）の光軸（１ｅ’）上に第５ＬＥＤ光源（１ｅ）から照射される光の光度（Ａｅ０）のｃｏｓθｅ倍になるように、かつ、第５ＬＥＤ光源（１ｅ）の光軸（１ｅ’）上に第５ＬＥＤ光源（１ｅ）から照射される光の光度（Ａｅ０）と第１ＬＥＤ光源（１ａ）の光軸（１ａ’）上に第１ＬＥＤ光源（１ａ）から照射される光の光度（Ａａ０）とが等しくなるように設定されたＬＥＤ光源が用いられている。
【００２２】
また、請求項１及び２に記載のＬＥＤランプ（１０）では、第１基板（２ａ）に実装された第１ＬＥＤ光源（１ａ）の数と、第２基板（２ｂ）に実装された第２ＬＥＤ光源（１ｂ）の数と、第３基板（２ｃ）に実装された第３ＬＥＤ光源（１ｃ）の数と、第４基板（２ｄ）に実装された第４ＬＥＤ光源（１ｄ）の数と、第５基板（２ｅ）に実装された第５ＬＥＤ光源（１ｅ）の数とが等しくされている。
【００２３】
好ましくは、請求項１及び２に記載のＬＥＤランプ（１０）では、正五角柱状の支持部（３）の中心軸線（３’）を中心とする７２°回転対称の位置関係を互いに有するように、第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）が配置されている。
【００２４】
その結果、請求項１及び２に記載のＬＥＤランプ（１０）では、第１ＬＥＤ光源（１ａ）、第２ＬＥＤ光源（１ｂ）、第３ＬＥＤ光源（１ｃ）、第４ＬＥＤ光源（１ｄ）および第５ＬＥＤ光源（１ｅ）からの光によって、正五角柱状の支持部（３）の中心軸線（３’）に直交する平面（Ｓ）であって、正五角柱状の支持部（３）から正五角柱状の支持部（３）の中心軸線（３’）方向に離間せしめられた平面（Ｓ）上に、正五角柱状の支持部（３）の中心軸線（３’）を中心とする３６°回転対称の照度分布を有する配光パターンが形成される。
【００２５】
そのため、請求項１及び２に記載のＬＥＤランプ（１０）によれば、ランバーシアン発光特性を有するＬＥＤ光源が用いられ、かつ、３枚の基板が正三角柱状の支持部の側面上に配置されている場合よりも、周方向の照度ムラを抑制した配光パターンを形成することができる。
【００２６】
更に、請求項１及び２に記載のＬＥＤランプ（１０）によれば、ランバーシアン発光特性を有するＬＥＤ光源が用いられ、かつ、４枚の基板が正四角柱状の支持部の側面上に配置されている場合よりも、周方向の照度ムラを抑制した配光パターンを形成することができる。
【００２７】
また、請求項１及び２に記載のＬＥＤランプ（１０）によれば、ランバーシアン発光特性を有するＬＥＤ光源が用いられ、かつ、６枚の基板が正六角柱状の支持部の側面上に配置されている場合よりも、周方向の照度ムラを抑制した配光パターンを形成することができる。
【００２８】
換言すれば、請求項１及び２に記載のＬＥＤランプ（１０）によれば、例えば口金を有する水銀灯、例えばフィラメントなどのような発光部と口金とを有する電球などに対して互換性を有し、かつ、正多角柱状の支持部に対する複数の基板の取り付け工数を削減しつつ、正多角柱状の支持部の中心軸線を中心とする周方向の照度ムラを抑制した配光パターンを、正多角柱状の支持部から正多角柱状の支持部の中心軸線方向に離間せしめられた面に形成することができる。
【図面の簡単な説明】
【００２９】
【図１】第１の実施形態のＬＥＤランプ１０を示した図である。
【図２】第１の実施形態のＬＥＤランプ１０を示した図である。
【図３】第１の実施形態のＬＥＤランプ１０を示した図である。
【図４】第１の実施形態のＬＥＤランプ１０を示した図である。
【図５】第１の実施形態のＬＥＤランプ１０の一部を構成する基板２ａ，２ｂ，２ｃ，２ｄ，２ｅが正五角柱状の支持部３に取り付けられる前の状態における第１の実施形態のＬＥＤランプ１０を示した図である。
【図６】第１の実施形態のＬＥＤランプ１０の一部を構成するＬＥＤ光源１ａ，１ｂ，１ｃ，１ｄ，１ｅの発光特性を示した図である。
【図７】第１の実施形態のＬＥＤランプ１０が適用された照明装置（街路灯）１００の第１例を概略的に示した図である。
【図８】図７に示す地面（路面）Ｓ上であって、第１の実施形態のＬＥＤランプ１０の正五角柱状支持部３の中心軸線３’を中心とする半径Ｒの円Ｃ上の位置ＰにＬＥＤ光源１ａから照射される光Ｌ１ａの光度ＡＬ１ａを説明するための図である。
【図９】第１の実施形態のＬＥＤランプ１０が適用された照明装置（街路灯）１００からの光が照射される地面（路面）Ｓの円Ｃ１上の各位置における照度を示したグラフである。
【図１０】正多角柱状の支持部に取り付けられる基板の枚数（つまり、正多角柱状の支持部の長方形の側面の数）が３に設定された場合の図８に示す地面（路面）Ｓの円Ｃ１上の各位置における照度を示したグラフである。
【図１１】正多角柱状の支持部に取り付けられる基板の枚数（つまり、正多角柱状の支持部の長方形の側面の数）が４に設定された場合の図８に示す地面（路面）Ｓの円Ｃ１上の各位置における照度を示したグラフである。
【図１２】正多角柱状の支持部に取り付けられる基板の枚数（つまり、正多角柱状の支持部の長方形の側面の数）が６に設定された場合の図８に示す地面（路面）Ｓの円Ｃ１上の各位置における照度を示したグラフである。
【図１３】図９〜図１２に示す例における照度ムラを比較して示したグラフである。
【図１４】第１の実施形態のＬＥＤランプ１０が適用された照明装置（街路灯）１００の第２例を概略的に示した図である。
【図１５】第１の実施形態のＬＥＤランプ１０が適用された第２例の照明装置（街路灯）１００などにおける照度ムラを比較して示したグラフである。
【図１６】第３の実施形態のＬＥＤランプ１０の平面図である。
【図１７】第３の実施形態のＬＥＤランプ１０が適用された第３例の照明装置（街路灯）１００などにおける照度ムラを比較して示したグラフである。
【発明を実施するための形態】
【００３０】
以下、本発明のＬＥＤランプの第１の実施形態について説明する。図１〜図４は第１の実施形態のＬＥＤランプ１０を示した図である。詳細には、図１（Ａ）は第１の実施形態のＬＥＤランプ１０の斜視図、図１（Ｂ）は第１の実施形態のＬＥＤランプ１０の平面図、図２（Ａ）は第１の実施形態のＬＥＤランプ１０の正面図である。図２（Ｂ）は図１（Ｂ）のＡ矢視図、図３（Ａ）は図１（Ｂ）のＢ矢視図、図３（Ｂ）は図１（Ｂ）のＣ矢視図、図４は図１（Ｂ）のＤ矢視図である。図５は第１の実施形態のＬＥＤランプ１０の一部を構成する基板２ａ，２ｂ，２ｃ，２ｄ，２ｅが正五角柱状の支持部３に取り付けられる前の状態における第１の実施形態のＬＥＤランプ１０を示した図である。詳細には、図５（Ａ）は基板２ａ，２ｂ，２ｃ，２ｄ，２ｅが正五角柱状の支持部３に取り付けられる前の状態における第１の実施形態のＬＥＤランプ１０の斜視図、図５（Ａ）は基板２ａ，２ｂ，２ｃ，２ｄ，２ｅが正五角柱状の支持部３に取り付けられる前の状態における第１の実施形態のＬＥＤランプ１０の平面図である。
【００３１】
具体的には、第１の実施形態のＬＥＤランプ１０では、図５（Ａ）および図５（Ｂ）に示すように、正五角形の先端面３ｚと、５個の長方形の側面３ａ，３ｂ，３ｃ，３ｄ，３ｅとが正五角柱状の支持部３に設けられている。また、第１の実施形態のＬＥＤランプ１０では、正五角柱状の支持部３（図５（Ａ）および図５（Ｂ）参照）の側面３ａ（図５（Ａ）および図５（Ｂ）参照）の法線３ａ’（図５（Ｂ）参照）と例えば１２個のＬＥＤ光源１ａ（図１（Ａ）、図１（Ｂ）および図２（Ａ）参照）の光軸１ａ’（図１（Ｂ）参照）とが一致する（平行になる）ように、ＬＥＤ光源１ａが実装された基板２ａ（図１（Ａ）、図１（Ｂ）および図２（Ａ）参照）が、側面３ａに対して例えばねじ止めなどによって接続されている。
【００３２】
更に、第１の実施形態のＬＥＤランプ１０では、正五角柱状の支持部３（図５（Ａ）および図５（Ｂ）参照）の側面３ｂ（図５（Ａ）および図５（Ｂ）参照）の法線３ｂ’（図５（Ｂ）参照）と、ＬＥＤ光源１ａ（図１（Ａ）、図１（Ｂ）および図２（Ａ）参照）と同数のＬＥＤ光源１ｂ（図１（Ａ）、図１（Ｂ）および図２（Ｂ）参照）の光軸１ｂ’（図１（Ｂ）参照）とが一致する（平行になる）ように、ＬＥＤ光源１ｂが実装された基板２ｂ（図１（Ａ）、図１（Ｂ）および図２（Ｂ）参照）が、側面３ｂに対して例えばねじ止めなどによって接続されている。また、第１の実施形態のＬＥＤランプ１０では、正五角柱状の支持部３（図５（Ａ）および図５（Ｂ）参照）の側面３ｃ（図５（Ｂ）参照）の法線３ｃ’（図５（Ｂ）参照）と、ＬＥＤ光源１ａ（図１（Ａ）、図１（Ｂ）および図２（Ａ）参照）と同数のＬＥＤ光源１ｃ（図１（Ｂ）および図３（Ａ）参照）の光軸１ｃ’（図１（Ｂ）参照）とが一致する（平行になる）ように、ＬＥＤ光源１ｃが実装された基板２ｃ（図１（Ｂ）および図３（Ａ）参照）が、側面３ｃに対して例えばねじ止めなどによって接続されている。
【００３３】
また、第１の実施形態のＬＥＤランプ１０では、正五角柱状の支持部３（図５（Ａ）および図５（Ｂ）参照）の側面３ｄ（図５（Ｂ）参照）の法線３ｄ’（図５（Ｂ）参照）と、ＬＥＤ光源１ａ（図１（Ａ）、図１（Ｂ）および図２（Ａ）参照）と同数のＬＥＤ光源１ｄ（図１（Ｂ）および図３（Ｂ）参照）の光軸１ｄ’（図１（Ｂ）参照）とが一致する（平行になる）ように、ＬＥＤ光源１ｄが実装された基板２ｄ（図１（Ｂ）および図３（Ｂ）参照）が、側面３ｄに対して例えばねじ止めなどによって接続されている。更に、正五角柱状の支持部３（図５（Ａ）および図５（Ｂ）参照）の側面３ｅ（図５（Ａ）および図５（Ｂ）参照）の法線３ｅ’（図５（Ｂ）参照）と、ＬＥＤ光源１ａ（図１（Ａ）、図１（Ｂ）および図２（Ａ）参照）と同数のＬＥＤ光源１ｅ（図１（Ａ）、図１（Ｂ）および図４参照）の光軸１ｅ’（図１（Ｂ）参照）とが一致する（平行になる）ように、ＬＥＤ光源１ｅが実装された基板２ｅ（図１（Ａ）、図１（Ｂ）および図３（Ｂ）参照）が、側面３ｅに対して例えばねじ止めなどによって接続されている。
【００３４】
更に、第１の実施形態のＬＥＤランプ１０では、図１〜図４に示すように、ＬＥＤ光源１ａ，１ｂ，１ｃ，１ｄ，１ｅに電流を供給するための口金４が設けられている。換言すれば、第１の実施形態のＬＥＤランプ１０は、例えば口金を有する水銀灯、例えばフィラメントなどのような発光部と口金とを有する電球などに対して互換性を有するように構成されている。
【００３５】
第１の実施形態のＬＥＤランプ１０では、図１〜図４に示すような例えばねじ込み型の口金４が設けられているが、第２の実施形態のＬＥＤランプ１０では、代わりに、例えば特許文献２（特開２００７−２６５７２６号公報）に記載されたＬＥＤランプの口金と同様の差し込み型の口金４を設けたり、あるいは、例えばウエッジベース型の口金４を設けたりすることも可能である。
【００３６】
図６は第１の実施形態のＬＥＤランプ１０の一部を構成するＬＥＤ光源１ａ，１ｂ，１ｃ，１ｄ，１ｅの発光特性を示した図である。詳細には、図６（Ａ）はＬＥＤ光源１ａから照射される光の光度Ａａ［ｃｄ］と、その光がＬＥＤ光源１ａの光軸１ａ’となす角度θａ［°］との関係を示したグラフである。図６（Ｂ）はＬＥＤ光源１ｂから照射される光の光度Ａｂ［ｃｄ］と、その光がＬＥＤ光源１ｂの光軸１ｂ’となす角度θｂ［°］との関係を示したグラフである。図６（Ｃ）はＬＥＤ光源１ｃから照射される光の光度Ａｃ［ｃｄ］と、その光がＬＥＤ光源１ｃの光軸１ｃ’となす角度θｃ［°］との関係を示したグラフである。図６（Ｄ）はＬＥＤ光源１ｄから照射される光の光度Ａｄ［ｃｄ］と、その光がＬＥＤ光源１ｄの光軸１ｄ’となす角度θｄ［°］との関係を示したグラフである。図６（Ｅ）はＬＥＤ光源１ｅから照射される光の光度Ａｅ［ｃｄ］と、その光がＬＥＤ光源１ｅの光軸１ｅ’となす角度θｅ［°］との関係を示したグラフである。
【００３７】
第１の実施形態のＬＥＤランプ１０では、図６（Ａ）に示すように、ＬＥＤ光源１ａ（図１（Ａ）、図１（Ｂ）および図２（Ａ）参照）の光軸１ａ’（図１（Ｂ）参照）と角度θａ（０°≦θａ≦９０°）をなしてＬＥＤ光源１ａから照射される光の光度Ａａが、ＬＥＤ光源１ａの光軸１ａ’上にＬＥＤ光源１ａから照射される光の光度Ａａ０のｃｏｓθａ倍になるように設定されている。つまり、ＬＥＤ光源１ａの発光特性がランバーシアンに設定されている。
【００３８】
また、第１の実施形態のＬＥＤランプ１０では、図６（Ｂ）に示すように、ＬＥＤ光源１ｂ（図１（Ａ）、図１（Ｂ）および図２（Ｂ）参照）の光軸１ｂ’（図１（Ｂ）参照）と角度θｂ（０°≦θｂ≦９０°）をなしてＬＥＤ光源１ｂから照射される光の光度Ａｂが、ＬＥＤ光源１ｂの光軸１ｂ’上にＬＥＤ光源１ｂから照射される光の光度Ａｂ０のｃｏｓθｂ倍になるように設定されている。詳細には、ＬＥＤ光源１ｂの光軸１ｂ’上にＬＥＤ光源１ｂから照射される光の光度Ａｂ０とＬＥＤ光源１ａ（図１（Ａ）、図１（Ｂ）および図２（Ａ）参照）の光軸１ａ’（図１（Ｂ）参照）上にＬＥＤ光源１ａから照射される光の光度Ａａ０（図６（Ａ）参照）とが等しくなるように設定されている。すなわち、ＬＥＤ光源１ａと同一の発光特性を有するＬＥＤ光源が、ＬＥＤ光源１ｂとして用いられている。
【００３９】
更に、第１の実施形態のＬＥＤランプ１０では、図６（Ｃ）に示すように、ＬＥＤ光源１ｃ（図１（Ｂ）および図３（Ａ）参照）の光軸１ｃ’（図１（Ｂ）参照）と角度θｃ（０°≦θｃ≦９０°）をなしてＬＥＤ光源１ｃから照射される光の光度Ａｃが、ＬＥＤ光源１ｃの光軸１ｃ’上にＬＥＤ光源１ｃから照射される光の光度Ａｃ０のｃｏｓθｃ倍になるように設定されている。詳細には、ＬＥＤ光源１ｃの光軸１ｃ’上にＬＥＤ光源１ｃから照射される光の光度Ａｃ０とＬＥＤ光源１ａ（図１（Ａ）、図１（Ｂ）および図２（Ａ）参照）の光軸１ａ’（図１（Ｂ）参照）上にＬＥＤ光源１ａから照射される光の光度Ａａ０（図６（Ａ）参照）とが等しくなるように設定されている。すなわち、ＬＥＤ光源１ａと同一の発光特性を有するＬＥＤ光源が、ＬＥＤ光源１ｃとして用いられている。
【００４０】
また、第１の実施形態のＬＥＤランプ１０では、図６（Ｄ）に示すように、ＬＥＤ光源１ｄ（図１（Ｂ）および図３（Ｂ）参照）の光軸１ｄ’（図１（Ｂ）参照）と角度θｄ（０°≦θｄ≦９０°）をなしてＬＥＤ光源１ｄから照射される光の光度Ａｄが、ＬＥＤ光源１ｄの光軸１ｄ’上にＬＥＤ光源１ｄから照射される光の光度Ａｄ０のｃｏｓθｄ倍になるように設定されている。詳細には、ＬＥＤ光源１ｄの光軸１ｄ’上にＬＥＤ光源１ｄから照射される光の光度Ａｄ０とＬＥＤ光源１ａ（図１（Ａ）、図１（Ｂ）および図２（Ａ）参照）の光軸１ａ’（図１（Ｂ）参照）上にＬＥＤ光源１ａから照射される光の光度Ａａ０（図６（Ａ）参照）とが等しくなるように設定されている。すなわち、ＬＥＤ光源１ａと同一の発光特性を有するＬＥＤ光源が、ＬＥＤ光源１ｄとして用いられている。
【００４１】
更に、第１の実施形態のＬＥＤランプ１０では、図６（Ｅ）に示すように、ＬＥＤ光源１ｅ（図１（Ａ）、図１（Ｂ）および図３（Ｂ）参照）の光軸１ｅ’（図１（Ｂ）参照）と角度θｅ（０°≦θｅ≦９０°）をなしてＬＥＤ光源１ｅから照射される光の光度Ａｅが、ＬＥＤ光源１ｅの光軸１ｅ’上にＬＥＤ光源１ｅから照射される光の光度Ａｅ０のｃｏｓθｅ倍になるように設定されている。詳細には、ＬＥＤ光源１ｅの光軸１ｅ’上にＬＥＤ光源１ｅから照射される光の光度Ａｅ０とＬＥＤ光源１ａ（図１（Ａ）、図１（Ｂ）および図２（Ａ）参照）の光軸１ａ’（図１（Ｂ）参照）上にＬＥＤ光源１ａから照射される光の光度Ａａ０（図６（Ａ）参照）とが等しくなるように設定されている。すなわち、ＬＥＤ光源１ａと同一の発光特性を有するＬＥＤ光源が、ＬＥＤ光源１ｅとして用いられている。
【００４２】
また、第１の実施形態のＬＥＤランプ１０では、図１（Ｂ）に示すように、正五角柱状の支持部３の中心軸線３’を中心とする７２°回転対称の位置関係を互いに有するように、ＬＥＤ光源１ａ（図１（Ａ）および図２（Ａ）参照）、ＬＥＤ光源１ｂ（図１（Ａ）および図２（Ｂ）参照）、ＬＥＤ光源１ｃ（図３（Ａ）参照）、ＬＥＤ光源１ｄ（図３（Ｂ）参照）およびＬＥＤ光源１ｅ（図１（Ａ）および図４参照）が配置されている。
【００４３】
換言すれば、第１の実施形態のＬＥＤランプ１０では、正五角柱状の支持部３（図１（Ｂ）参照）の中心軸線３’（図１（Ｂ）参照）を中心に、すべてのＬＥＤ光源１ａ（図１（Ａ）、図１（Ｂ）および図２（Ａ）参照）を図１（Ｂ）の反時計回りに７２°回転させた位置に、すべてのＬＥＤ光源１ｂ（図１（Ａ）、図１（Ｂ）および図２（Ｂ）参照）が配置されている。また、正五角柱状の支持部３の中心軸線３’を中心にすべてのＬＥＤ光源１ａを図１（Ｂ）の反時計回りに１４４°回転させた位置に、すべてのＬＥＤ光源１ｃ（図１（Ｂ）および図３（Ａ）参照）が配置されている。更に、正五角柱状の支持部３の中心軸線３’を中心にすべてのＬＥＤ光源１ａを図１（Ｂ）の反時計回りに２１６°回転させた位置に、すべてのＬＥＤ光源１ｄ（図１（Ｂ）および図３（Ｂ）参照）が配置されている。また、正五角柱状の支持部３の中心軸線３’を中心にすべてのＬＥＤ光源１ａを図１（Ｂ）の反時計回りに２８８°回転させた位置に、すべてのＬＥＤ光源１ｅ（図１（Ａ）、図１（Ｂ）および図４参照）が配置されている。
【００４４】
図７は第１の実施形態のＬＥＤランプ１０が適用された照明装置（街路灯）１００の第１例を概略的に示した図である。図７に示す例では、照明装置（街路灯）１００の支柱１００ａにソケット１００ｂが設けられており、第１の実施形態のＬＥＤランプ１０の口金４（図１（Ａ）参照）がソケット１００ｂに接続されている。更に、照明装置（街路灯）１００の支柱１００ａに皿部１００ｃが設けられており、皿部１００ｃに取り付けられたグローブ１００ｄによって第１の実施形態のＬＥＤランプ１０が覆われている。図７に示す例では、例えば交流電流が電源回路（図示せず）によって直流に変換され、その直流が第１の実施形態のＬＥＤランプ１０の口金４（図１（Ａ）参照）を介してＬＥＤ光源１ａ，１ｂ，１ｃ，１ｄ，１ｅ（図１〜図４参照）に供給される。
【００４５】
更に、図７に示す例では、正五角柱状の支持部３（図１（Ｂ）参照）の中心軸線３’を中心とする周方向の照度ムラを抑制した配光パターンを地面（路面）Ｓに形成するために、第１の実施形態のＬＥＤランプ１０が、支柱１００ａを介して地面（路面）Ｓから高さＨの位置に配置されている。詳細には、図７に示す例では、第１の実施形態のＬＥＤランプ１０からの光によって周方向の照度ムラを抑制した配光パターンを例えば水平な地面（路面）Ｓに形成するために、正五角柱状の支持部３の中心軸線３’が地面（路面）Ｓに対して垂直に指向せしめられいる。
【００４６】
図８は図７に示す地面（路面）Ｓ上であって、第１の実施形態のＬＥＤランプ１０の正五角柱状の支持部３の中心軸線３’を中心とする半径Ｒの円Ｃ１上の位置ＰにＬＥＤ光源１ａから照射される光Ｌ１ａの光度ＡＬ１ａを説明するための図である。ＬＥＤ光源１ａ（図１（Ａ）、図１（Ｂ）および図２（Ａ）参照）の光軸１ａ’（図８参照）と角度θａ（図８参照）をなして地面（路面）Ｓ（図８参照）の円Ｃ１（図８参照）上の位置Ｐ（図８参照）にＬＥＤ光源１ａから照射される光Ｌ１ａ（図８参照）の光度ＡＬ１ａは、下記の式（１）に示すように、ＬＥＤ光源１ａの光軸１ａ’上にＬＥＤ光源１ａから照射される光Ｌ１ａ０（図８参照）の光度Ａａ０（図６（Ａ）参照）のｃｏｓθａ倍になる。
ＡＬ１ａ＝Ａａ０×ｃｏｓθａ                              （１）
【００４７】
一方、図８に示す例では、ＬＥＤ光源１ａ（図１（Ａ）、図１（Ｂ）および図２（Ａ）参照）の光軸１ａ’と地面（路面）Ｓの円Ｃ１上の位置ＰにＬＥＤ光源１ａから照射される光Ｌ１ａとがなす角度θａは、水平面内における角度θＨと、鉛直面内における角度θＶとに分解することができる。詳細には、ＬＥＤ光源１ａの光軸１ａ’と角度θＨをなしてＬＥＤ光源１ａから水平方向に照射される光Ｌ１ａ’の光度ＡＬ１ａ’は、ＬＥＤ光源１ａの光軸１ａ’上にＬＥＤ光源１ａから照射される光Ｌ１ａ０の光度Ａａ０（図６（Ａ）参照）のｃｏｓθＨ倍になる。更に、光Ｌ１ａの光度ＡＬ１ａは、光Ｌ１ａ’の光度ＡＬ１ａ’の概略ｃｏｓθＶ倍になると考えることができる。その結果、光Ｌ１ａの光度ＡＬ１ａは下記の式（２）のように表すことができる。
ＡＬ１ａ＝Ａａ０×ｃｏｓθＨ×ｃｏｓθＶ              （２）
【００４８】
また、式（２）中の角度ｃｏｓθＶは、図７および図８中の半径Ｒおよび高さＨによって、下記の式（３）のように表わすことができる。
ｃｏｓθＶ＝Ｒ／（Ｒ２＋Ｈ２）１／２                          （３）
【００４９】
上述した式（２）および式（３）により、ＬＥＤ光源１ａ（図１（Ａ）、図１（Ｂ）および図２（Ａ）参照）の光軸１ａ’（図８参照）と角度θａ（図８参照）をなして地面（路面）Ｓ（図８参照）の円Ｃ１（図８参照）上の位置Ｐ（図８参照）にＬＥＤ光源１ａから照射される光Ｌ１ａ（図８参照）の光度ＡＬ１ａは、下記の式（４）のように表すことができる。
ＡＬ１ａ＝Ａａ０×（Ｒ／（Ｒ２＋Ｈ２）１／２）×ｃｏｓθＨ    （４）
【００５０】
換言すれば、ランバーシアン発光特性を有するＬＥＤ光源１ａ（図１（Ａ）、図１（Ｂ）および図２（Ａ）参照）が設けられている第１の実施形態のＬＥＤランプ１０が適用された照明装置（街路灯）１００では、図８に示すように、ＬＥＤ光源１ａの光軸１ａ’と角度θＨをなしてＬＥＤ光源１ａからＬＥＤ光源１ａを含む水平面内に照射される光Ｌ１ａ’の光度ＡＬ１ａ’が、ＬＥＤ光源１ａの光軸１ａ’上にＬＥＤ光源１ａから照射される光Ｌ１ａ０の光度Ａａ０（図６（Ａ）参照）のｃｏｓθＨ倍になる。更に、ＬＥＤ光源１ａから地面（路面）Ｓの円Ｃ１上の位置Ｐに照射される光Ｌ１ａの光度ＡＬ１ａが、ＬＥＤ光源１ａの光軸１ａ’を含む鉛直面内であって地面（路面）Ｓの円Ｃ１上の位置ＰＶに照射される光Ｌ１ａ０’の光度ＡＬ１ａ０’（＝Ａａ０×ｃｏｓθＶ）のｃｏｓθＨ倍になる。
【００５１】
また、第１の実施形態のＬＥＤランプ１０が適用された照明装置（街路灯）１００（図８参照）では、第１の実施形態のＬＥＤランプ１０（図１（Ａ）参照）のサイズが一般的な水銀灯のサイズとほぼ同一であって、図７および図８中の半径Ｒが例えば３ｍであって、高さＨが例えば５ｍである場合に、ＬＥＤ光源１ａ（図１（Ａ）、図１（Ｂ）および図２（Ａ）参照）から地面（路面）Ｓ（図８参照）の円Ｃ２（図８参照）上の各位置ＰＶ，Ｐ，…（図８参照）までの距離が概略一定であると考えることができる。更に、ＬＥＤ光源１ａからＬＥＤ光源１ａを含む水平面内の円Ｃ１（図８参照）上の各位置Ｐ０，ＰＨ，…（図８参照）までの距離が概略一定であると考えることができる。
【００５２】
そのため、第１の実施形態のＬＥＤランプ１０のＬＥＤ光源１ａ，１ｂ，１ｃ，１ｄ，１ｅ（図１〜図４参照）からの光のうち、ＬＥＤ光源１ａからの光のみに注目し、ＬＥＤ光源１ｂ，１ｃ，１ｄ，１ｅからの光を考慮しない場合、ＬＥＤ光源１ａの光軸１ａ’（図８参照）と角度θＨ（図８参照）をなす光Ｌ１ａ’（図８参照）がＬＥＤ光源１ａから照射される円Ｃ２（図８参照）上の位置ＰＨ（図８参照）における照度が、ＬＥＤ光源１ａの光軸１ａ’に沿って進む光Ｌ１ａ０（図８参照）がＬＥＤ光源１ａから照射される円Ｃ２上の位置Ｐ０（図８参照）における照度のｃｏｓθＨ倍になる。更に、第１の実施形態のＬＥＤランプ１０のＬＥＤ光源１ａ，１ｂ，１ｃ，１ｄ，１ｅ（図１〜図４参照）からの光のうち、ＬＥＤ光源１ａからの光のみに注目し、ＬＥＤ光源１ｂ，１ｃ，１ｄ，１ｅからの光を考慮しない場合、ＬＥＤ光源１ａから光Ｌ１ａ（図８参照）が照射される地面（路面）Ｓ（図８参照）の円Ｃ１（図８参照）上の位置Ｐ（図８参照）における照度が、ＬＥＤ光源１ａから光Ｌ１ａ０’（図８参照）が照射される地面（路面）Ｓの円Ｃ１上の位置ＰＶ（図８参照）の照度のｃｏｓθＨ倍になる。
【００５３】
図９は第１の実施形態のＬＥＤランプ１０が適用された照明装置（街路灯）１００からの光が照射される地面（路面）Ｓの円Ｃ１上の各位置における照度を示したグラフである。図９において、横軸は図８中の角度θＨに相当する角度θ［ｄｅｇ］を示しており、縦軸は地面（路面）Ｓ（図８参照）の円Ｃ１（図８参照）上の各位置ＰＶ，Ｐ，…（図８参照）における照度［ｌｘ］を示している。図９の横軸の角度θがゼロの位置が、図８中の位置ＰＶに相当している。
【００５４】
ＬＥＤ光源１ａ（図１（Ａ）、図１（Ｂ）および図２（Ａ）参照）からの光のみに注目し、ＬＥＤ光源１ｂ，１ｃ，１ｄ，１ｅ（図１〜図４参照）からの光を考慮しない場合、ＬＥＤ光源１ａからの光が照射される地面（路面）Ｓ（図８参照）の円Ｃ１（図８参照）上の各位置における照度が、図９中の照度分布曲線ＩＬａ（ｃｏｓカーブ）で示す値になる。
【００５５】
また、ＬＥＤ光源１ｂ（図１（Ａ）、図１（Ｂ）および図２（Ｂ）参照）からの光のみに注目し、ＬＥＤ光源１ａ，１ｃ，１ｄ，１ｅ（図１〜図４参照）からの光を考慮しない場合、ＬＥＤ光源１ｂからの光が照射される地面（路面）Ｓ（図８参照）の円Ｃ１（図８参照）上の各位置における照度が、図９中の照度分布曲線ＩＬｂ（ｃｏｓカーブ）で示す値になる。第１の実施形態のＬＥＤランプ１０では、図１（Ｂ）に示すように、正五角柱状の支持部３の中心軸線３’を中心としてＬＥＤ光源１ａを反時計回りに７２°回転させた位置に、ＬＥＤ光源１ｂが配置されている。そのため、図９に示す例では、照度分布曲線ＩＬａ（ｃｏｓカーブ）を＋７２°オフセットさせた位置に、照度分布曲線ＩＬｂ（ｃｏｓカーブ）が位置する。
【００５６】
更に、ＬＥＤ光源１ｃ（図１（Ｂ）および図３（Ａ）参照）からの光のみに注目し、ＬＥＤ光源１ａ，１ｂ，１ｄ，１ｅ（図１〜図４参照）からの光を考慮しない場合、ＬＥＤ光源１ｃからの光が照射される地面（路面）Ｓ（図８参照）の円Ｃ１（図８参照）上の各位置における照度が、図９中の照度分布曲線ＩＬｃ（ｃｏｓカーブ）で示す値になる。第１の実施形態のＬＥＤランプ１０では、図１（Ｂ）に示すように、正五角柱状の支持部３の中心軸線３’を中心としてＬＥＤ光源１ａを反時計回りに１４４°回転させた位置に、ＬＥＤ光源１ｃが配置されている。そのため、図９に示す例では、照度分布曲線ＩＬａ（ｃｏｓカーブ）を＋１４４°オフセットさせた位置に、照度分布曲線ＩＬｃ（ｃｏｓカーブ）が位置する。
【００５７】
また、ＬＥＤ光源１ｄ（図１（Ｂ）および図３（Ｂ）参照）からの光のみに注目し、ＬＥＤ光源１ａ，１ｂ，１ｃ，１ｅ（図１〜図４参照）からの光を考慮しない場合、ＬＥＤ光源１ｄからの光が照射される地面（路面）Ｓ（図８参照）の円Ｃ１（図８参照）上の各位置における照度が、図９中の照度分布曲線ＩＬｄ（ｃｏｓカーブ）で示す値になる。第１の実施形態のＬＥＤランプ１０では、図１（Ｂ）に示すように、正五角柱状の支持部３の中心軸線３’を中心としてＬＥＤ光源１ａを反時計回りに２１６°（時計回りに１４４°）回転させた位置に、ＬＥＤ光源１ｄが配置されている。そのため、図９に示す例では、照度分布曲線ＩＬａ（ｃｏｓカーブ）を−１４４°オフセットさせた位置に、照度分布曲線ＩＬｄ（ｃｏｓカーブ）が位置する。
【００５８】
更に、ＬＥＤ光源１ｅ（図１（Ａ）、図１（Ｂ）および図４参照）からの光のみに注目し、ＬＥＤ光源１ａ，１ｂ，１ｃ，１ｄ（図１〜図４参照）からの光を考慮しない場合、ＬＥＤ光源１ｅからの光が照射される地面（路面）Ｓ（図８参照）の円Ｃ１（図８参照）上の各位置における照度が、図９中の照度分布曲線ＩＬｅ（ｃｏｓカーブ）で示す値になる。第１の実施形態のＬＥＤランプ１０では、図１（Ｂ）に示すように、正五角柱状の支持部３の中心軸線３’を中心としてＬＥＤ光源１ａを反時計回りに２８８°（時計回りに７２°）回転させた位置に、ＬＥＤ光源１ｅが配置されている。そのため、図９に示す例では、照度分布曲線ＩＬａ（ｃｏｓカーブ）を−７２°オフセットさせた位置に、照度分布曲線ＩＬｅ（ｃｏｓカーブ）が位置する。
【００５９】
第１の実施形態のＬＥＤランプ１０が適用された照明装置（街路灯）１００のＬＥＤ光源１ａ，１ｂ，１ｃ，１ｄ，１ｅ（図１〜図４参照）からの光が照射される地面（路面）Ｓの円Ｃ１上の各位置における照度が、図９中の照度分布曲線ＩＬｔｏｔａｌで示す値になる。照度分布曲線ＩＬｔｏｔａｌは、照度分布曲線ＩＬａ，ＩＬｂ，ＩＬｃ，ＩＬｄ，ＩＬｅ（ｃｏｓカーブ）（図９参照）を合成することによって得られ、図９に示すように、３６°周期の曲線になる。
【００６０】
すなわち、第１の実施形態のＬＥＤランプ１０が適用された照明装置（街路灯）１００（図７および図８参照）では、ＬＥＤ光源１ａ，１ｂ，１ｃ，１ｄ，１ｅ（図１〜図４参照）からの光によって、正五角柱状の支持部３（図５参照）の中心軸線３’（図７および図８参照）に直交する平面Ｓ（図７および図８参照）であって、正五角柱状の支持部３から正五角柱状の支持部３の中心軸線３’の方向に高さＨ（図７および図８参照）だけ離間せしめられた平面Ｓ上に、正五角柱状の支持部３の中心軸線３’を中心とする３６°回転対称の照度分布を有する配光パターンが形成される。
【００６１】
詳細には、図７〜図９に示す例では、すべてのＬＥＤ光源１ａ，１ｂ，１ｃ，１ｄ，１ｅ（図１〜図４参照）からの合計の光束（全光束）が４８００［ｌｍ］に設定され、その結果、５枚の基板２ａ，２ｂ，２ｃ，２ｄ，２ｅ（図１〜図４参照）のそれぞれからの光束が９６０（＝４８００／５）［ｌｍ］に設定されている。更に、上述したように、図７および図８中の半径Ｒが３ｍに設定され、高さＨが５ｍに設定されている。そのため、図９に示すように、照度分布曲線ＩＬａ，ＩＬｂ，ＩＬｃ，ＩＬｄ，ＩＬｅ（ｃｏｓカーブ）のそれぞれのピーク値が３．７［ｌｘ］になる。
【００６２】
本発明は、正多角柱状の支持部に対する複数の基板の取り付け工数を削減しつつ、正多角柱状の支持部の中心軸線を中心とする周方向の照度ムラを抑制した配光パターンを、正多角柱状の支持部から正多角柱状の支持部の中心軸線方向に離間せしめられた面に形成することを目的としている。
【００６３】
基板の枚数を削減することによって、正多角柱状の支持部に対する基板の取り付け工数を削減することができる。一方、正多角柱状の支持部に取り付けられる基板の枚数を増加することによって、つまり、正多角柱状の支持部の長方形の側面の数を増加することによって、配光パターンの周方向の照度ムラを低減することができると一般的に考えられている。
【００６４】
そこで、本発明者等は、正多角柱状の支持部に対する基板の取り付け工数が多くなりすぎない範囲内で、詳細には、正多角柱状の支持部に取り付けられる基板の枚数（つまり、正多角柱状の支持部の長方形の側面の数）が３〜６の範囲内で、比較検討を行った。
【００６５】
図１０は正多角柱状の支持部に取り付けられる基板の枚数（つまり、正多角柱状の支持部の長方形の側面の数）が３に設定された場合の図８に示す地面（路面）Ｓの円Ｃ１上の各位置における照度を示したグラフである。図１０において、横軸は図８中の角度θＨに相当する角度θ［ｄｅｇ］を示しており、縦軸は地面（路面）Ｓ（図８参照）の円Ｃ１（図８参照）上の各位置ＰＶ，Ｐ，…（図８参照）における照度［ｌｘ］を示している。図１０の横軸の角度θがゼロの位置が、図８中の位置ＰＶに相当している。
【００６６】
詳細には、図１０に示す例では、３枚の基板に実装されたすべてのＬＥＤ光源からの合計の光束（全光束）が４８００［ｌｍ］に設定され、その結果、３枚の基板のそれぞれからの光束が１６００（＝４８００／３）［ｌｍ］に設定されている。更に、図８中の半径Ｒが３ｍに設定され、高さＨが５ｍに設定されている。そのため、図１０に示すように、「基板１枚目」の照度分布曲線（ｃｏｓカーブ）のピーク値、「基板２枚目」の照度分布曲線（ｃｏｓカーブ）のピーク値、および、「基板３枚目」の照度分布曲線（ｃｏｓカーブ）のピーク値がそれぞれ６．１［ｌｘ］になる。
【００６７】
図１０に示す例では、３枚の基板のＬＥＤ光源からの光が照射される地面（路面）Ｓの円Ｃ１上の各位置における照度が、図１０中の「照度分布」で示す値になる。「照度分布」は、「基板１枚目」の照度分布曲線と「基板２枚目」の照度分布曲線と「基板３枚目」の照度分布曲線とを合成することによって得られ、図１０に示すように、６０°周期の曲線になる。
【００６８】
すなわち、図１０に示す例では、３枚の基板のＬＥＤ光源からの光によって、正三角柱状の支持部の中心軸線に直交する平面Ｓ（図８参照）であって、正三角柱状の支持部から正三角柱状の支持部の中心軸線の方向に高さＨ（図８参照）だけ離間せしめられた平面Ｓ上に、正三角柱状の支持部の中心軸線を中心とする６０°回転対称の照度分布を有する配光パターンが形成される。
【００６９】
図１１は正多角柱状の支持部に取り付けられる基板の枚数（つまり、正多角柱状の支持部の長方形の側面の数）が４に設定された場合の図８に示す地面（路面）Ｓの円Ｃ１上の各位置における照度を示したグラフである。図１１において、横軸は図８中の角度θＨに相当する角度θ［ｄｅｇ］を示しており、縦軸は地面（路面）Ｓ（図８参照）の円Ｃ１（図８参照）上の各位置ＰＶ，Ｐ，…（図８参照）における照度［ｌｘ］を示している。図１１の横軸の角度θがゼロの位置が、図８中の位置ＰＶに相当している。
【００７０】
詳細には、図１１に示す例では、４枚の基板に実装されたすべてのＬＥＤ光源からの合計の光束（全光束）が４８００［ｌｍ］に設定され、その結果、４枚の基板のそれぞれからの光束が１２００（＝４８００／４）［ｌｍ］に設定されている。更に、図８中の半径Ｒが３ｍに設定され、高さＨが５ｍに設定されている。そのため、図１１に示すように、「基板１枚目」の照度分布曲線（ｃｏｓカーブ）のピーク値、「基板２枚目」の照度分布曲線（ｃｏｓカーブ）のピーク値、「基板３枚目」の照度分布曲線（ｃｏｓカーブ）のピーク値、および、「基板４枚目」の照度分布曲線（ｃｏｓカーブ）のピーク値がそれぞれ４．６［ｌｘ］になる。
【００７１】
図１１に示す例では、４枚の基板のＬＥＤ光源からの光が照射される地面（路面）Ｓの円Ｃ１上の各位置における照度が、図１１中の「照度分布」で示す値になる。「照度分布」は、「基板１枚目」の照度分布曲線と「基板２枚目」の照度分布曲線と「基板３枚目」の照度分布曲線と「基板４枚目」の照度分布曲線とを合成することによって得られ、図１１に示すように、９０°周期の曲線になる。
【００７２】
すなわち、図１１に示す例では、４枚の基板のＬＥＤ光源からの光によって、正四角柱状の支持部の中心軸線に直交する平面Ｓ（図８参照）であって、正四角柱状の支持部から正四角柱状の支持部の中心軸線の方向に高さＨ（図８参照）だけ離間せしめられた平面Ｓ上に、正四角柱状の支持部の中心軸線を中心とする９０°回転対称の照度分布を有する配光パターンが形成される。
【００７３】
図１２は正多角柱状の支持部に取り付けられる基板の枚数（つまり、正多角柱状の支持部の長方形の側面の数）が６に設定された場合の図８に示す地面（路面）Ｓの円Ｃ１上の各位置における照度を示したグラフである。図１２において、横軸は図８中の角度θＨに相当する角度θ［ｄｅｇ］を示しており、縦軸は地面（路面）Ｓ（図８参照）の円Ｃ１（図８参照）上の各位置ＰＶ，Ｐ，…（図８参照）における照度［ｌｘ］を示している。図１２の横軸の角度θがゼロの位置が、図８中の位置ＰＶに相当している。
【００７４】
詳細には、図１２に示す例では、６枚の基板に実装されたすべてのＬＥＤ光源からの合計の光束（全光束）が４８００［ｌｍ］に設定され、その結果、６枚の基板のそれぞれからの光束が８００（＝４８００／６）［ｌｍ］に設定されている。更に、図８中の半径Ｒが３ｍに設定され、高さＨが５ｍに設定されている。そのため、図１２に示すように、「基板１枚目」の照度分布曲線（ｃｏｓカーブ）のピーク値、「基板２枚目」の照度分布曲線（ｃｏｓカーブ）のピーク値、「基板３枚目」の照度分布曲線（ｃｏｓカーブ）のピーク値、「基板４枚目」の照度分布曲線（ｃｏｓカーブ）のピーク値、「基板５枚目」の照度分布曲線（ｃｏｓカーブ）のピーク値、および、「基板６枚目」の照度分布曲線（ｃｏｓカーブ）のピーク値がそれぞれ３．１［ｌｘ］になる。
【００７５】
図１２に示す例では、６枚の基板のＬＥＤ光源からの光が照射される地面（路面）Ｓの円Ｃ１上の各位置における照度が、図１２中の「照度分布」で示す値になる。「照度分布」は、「基板１枚目」の照度分布曲線と「基板２枚目」の照度分布曲線と「基板３枚目」の照度分布曲線と「基板４枚目」の照度分布曲線と「基板５枚目」の照度分布曲線と「基板６枚目」の照度分布曲線とを合成することによって得られ、図１２に示すように、６０°周期の曲線になる。
【００７６】
すなわち、図１２に示す例では、６枚の基板のＬＥＤ光源からの光によって、正六角柱状の支持部の中心軸線に直交する平面Ｓ（図８参照）であって、正六角柱状の支持部から正六角柱状の支持部の中心軸線の方向に高さＨ（図８参照）だけ離間せしめられた平面Ｓ上に、正六角柱状の支持部の中心軸線を中心とする６０°回転対称の照度分布を有する配光パターンが形成される。
【００７７】
図１３は図９〜図１２に示す例における照度ムラ（＝（（照度最大値）−（照度最小値））／（照度平均値））を比較して示したグラフである。図１３に示すように、正多角柱状の支持部に取り付けられる基板の枚数が５に設定された第１の実施形態のＬＥＤランプ１０が適用された図９に示す例、正多角柱状の支持部に取り付けられる基板の枚数が３に設定された図１０に示す例、正多角柱状の支持部に取り付けられる基板の枚数が４に設定された図１１に示す例、および、正多角柱状の支持部に取り付けられる基板の枚数が６に設定された図１２に示す例のうち、正多角柱状の支持部に取り付けられる基板の枚数が５に設定された図９に示す例（つまり、第１の実施形態のＬＥＤランプ１０が照明装置（街路灯）１００に適用された例）が照度ムラを最も低い値にすることができた。
【００７８】
換言すれば、第１の実施形態のＬＥＤランプ１０が適用された照明装置（街路灯）１００によれば、正多角柱状の支持部に対する複数の基板の取り付け工数を削減しつつ、正多角柱状の支持部の中心軸線を中心とする周方向の照度ムラを抑制した配光パターンを、正多角柱状の支持部から正多角柱状の支持部の中心軸線方向に離間せしめられた面に形成することができる。
【００７９】
図１４は第１の実施形態のＬＥＤランプ１０が適用された照明装置（街路灯）１００の第２例を概略的に示した図である。第１の実施形態のＬＥＤランプ１０が適用された第１例の照明装置（街路灯）１００では、図７に示すように、正五角柱状の支持部３の正五角形の先端面３ｚ（図１（Ａ）参照）が上向き（図７の上向き）に設定されているが、第１の実施形態のＬＥＤランプ１０が適用された第２例の照明装置（街路灯）１００では、図１４に示すように、正五角柱状の支持部３の正五角形の先端面３ｚ（図１（Ａ）参照）が下向き（図１４の下向き）に設定されている。
【００８０】
第１の実施形態のＬＥＤランプ１０が適用された第１例の照明装置（街路灯）１００では、図７に示すように、地面（路面）Ｓ上に配光パターンを形成するためのＬＥＤ光源１ａ，１ｂ，１ｃ，１ｄ，１ｅ（図１〜図４参照）からの光の一部が支柱１００ａに皿部１００ｃによって遮られるのに対し、第１の実施形態のＬＥＤランプ１０が適用された第２例の照明装置（街路灯）１００では、図１４に示すように、地面（路面）Ｓ上に配光パターンを形成するためのＬＥＤ光源１ａ，１ｂ，１ｃ，１ｄ，１ｅ（図１〜図４参照）からの光が支柱１００ａに皿部１００ｃによって遮られない。
【００８１】
図１５は第１の実施形態のＬＥＤランプ１０が適用された第２例の照明装置（街路灯）１００などにおける照度ムラ（＝（（照度最大値）−（照度最小値））／（照度平均値））を比較して示したグラフである。図１５の横軸（「基板枚数」）の「５」に対応する図１５の縦軸（「照度ムラ」）の値が、第１の実施形態のＬＥＤランプ１０が適用された第２例の照明装置（街路灯）１００の「照度ムラ」に相当する。図１５の横軸（「基板枚数」）の「３」に対応する例では、第２例の照明装置（街路灯）１００に適用された正五角柱状の支持部３を有する第１の実施形態のＬＥＤランプ１０の代わりに、正三角形状の支持部を有するＬＥＤランプが用いられている。また、図１５の横軸（「基板枚数」）の「４」に対応する例では、第２例の照明装置（街路灯）１００に適用された正五角柱状の支持部３を有する第１の実施形態のＬＥＤランプ１０の代わりに、正四角形状の支持部を有するＬＥＤランプが用いられている。更に、図１５の横軸（「基板枚数」）の「６」に対応する例では、第２例の照明装置（街路灯）１００に適用された正五角柱状の支持部３を有する第１の実施形態のＬＥＤランプ１０の代わりに、正六角形状の支持部を有するＬＥＤランプが用いられている。
【００８２】
図１５に示すように、正多角柱状の支持部に取り付けられる基板の枚数が５に設定された第１の実施形態のＬＥＤランプ１０が適用された図１４に示す例（図１５中の「基板枚数」が５の例）、正多角柱状の支持部に取り付けられる基板の枚数が３に設定された例（図１５中の「基板枚数」が３の例）、正多角柱状の支持部に取り付けられる基板の枚数が４に設定された例（図１５中の「基板枚数」が４の例）、および、正多角柱状の支持部に取り付けられる基板の枚数が６に設定された例（図１５中の「基板枚数」が６の例）のうち、正多角柱状の支持部に取り付けられる基板の枚数が５に設定された図１４に示す例（つまり、第１の実施形態のＬＥＤランプ１０が適用された第２例の照明装置（街路灯）１００）が照度ムラを最も低い値にすることができた。
【００８３】
図１６は第３の実施形態のＬＥＤランプ１０の平面図である。第１の実施形態のＬＥＤランプ１０では、図１（Ａ）および図１（Ｂ）に示すように、正五角柱状の支持部３の正五角形の先端面３ｚ上に基板が配置されていないが、第３の実施形態のＬＥＤランプ１０では、図１６に示すように、ＬＥＤ光源１ｆが実装された基板２ｆが、正五角柱状の支持部３の正五角形の先端面３ｚ上に配置されている。更に、第３の実施形態のＬＥＤランプ１０が適用された第３例の照明装置（街路灯）１００では、図１４に示すように、基板２ｆ（図１６参照）が下向き（図１４の下向き）に設定されている。
【００８４】
図１７は第３の実施形態のＬＥＤランプ１０が適用された第３例の照明装置（街路灯）１００などにおける照度ムラ（＝（（照度最大値）−（照度最小値））／（照度平均値））を比較して示したグラフである。図１７の横軸（「基板枚数」）の「５」に対応する図１７の縦軸（「照度ムラ」）の値が、第３の実施形態のＬＥＤランプ１０が適用された第３例の照明装置（街路灯）１００の「照度ムラ」に相当する。図１７の横軸（「基板枚数」）の「３」に対応する例では、第３例の照明装置（街路灯）１００に適用された正五角柱状の支持部３を有する第３の実施形態のＬＥＤランプ１０の代わりに、正三角形状の支持部を有するＬＥＤランプが用いられている。また、図１７の横軸（「基板枚数」）の「４」に対応する例では、第３例の照明装置（街路灯）１００に適用された正五角柱状の支持部３を有する第３の実施形態のＬＥＤランプ１０の代わりに、正四角形状の支持部を有するＬＥＤランプが用いられている。更に、図１７の横軸（「基板枚数」）の「６」に対応する例では、第３例の照明装置（街路灯）１００に適用された正五角柱状の支持部３を有する第３の実施形態のＬＥＤランプ１０の代わりに、正六角形状の支持部を有するＬＥＤランプが用いられている。
【００８５】
図１７に示すように、正多角柱状の支持部に取り付けられる基板の枚数が５に設定された第３の実施形態のＬＥＤランプ１０が適用された図１４に示す例（図１７中の「基板枚数」が５の例）、正多角柱状の支持部に取り付けられる基板の枚数が３に設定された例（図１７中の「基板枚数」が３の例）、正多角柱状の支持部に取り付けられる基板の枚数が４に設定された例（図１７中の「基板枚数」が４の例）、および、正多角柱状の支持部に取り付けられる基板の枚数が６に設定された例（図１７中の「基板枚数」が６の例）のうち、正多角柱状の支持部に取り付けられる基板の枚数が５に設定された図１４に示す例（つまり、第３の実施形態のＬＥＤランプ１０が適用された第３例の照明装置（街路灯）１００）が照度ムラを最も低い値にすることができた。
【００８６】
第４の実施形態では、上述した第１から第３の実施形態および各例を適宜組み合わせることも可能である。
【産業上の利用可能性】
【００８７】
本発明のＬＥＤランプは、例えば街路灯、例えば体育館などの屋内用照明などのような照明装置などに適用可能である。
【符号の説明】
【００８８】
１ａ，１ｂ，１ｃ，１ｄ，１ｅ            ＬＥＤ光源
１ａ’，１ｂ’，１ｃ’，１ｄ’，１ｅ’  光軸
２ａ，２ｂ，２ｃ，２ｄ，２ｅ            基板
３ａ，３ｂ，３ｃ，３ｄ，３ｅ            側面
３ａ’，３ｂ’，３ｃ’，３ｄ’，３ｅ’  法線
３ｚ                                    先端面
３                                      支持部
３’                                    中心軸線
４                                      口金
１０                                    ＬＥＤランプ
１００                                  照明装置
Ｓ                                      面
【図１】
2012094443.tif 000003
【図２】
2012094443.tif 000004
【図３】
2012094443.tif 000005
【図４】
2012094443.tif 000006
【図５】
2012094443.tif 000007
【図６】
2012094443.tif 000008
【図７】
2012094443.tif 000009
【図８】
2012094443.tif 000010
【図９】
2012094443.tif 000011
【図１０】
2012094443.tif 000012
【図１１】
2012094443.tif 000013
【図１２】
2012094443.tif 000014
【図１３】
2012094443.tif 000015
【図１４】
2012094443.tif 000016
【図１５】
2012094443.tif 000017
【図１６】
2012094443.tif 000018
【図１７】
2012094443.tif 000019